(57)【要約】      （修正有）【課題】ナンバープレートの内容を遮らず、交通法規に違反しないだけでなく、使用者のスタイルをかもしだすことが可能な、組合式ナンバープレートフレーム構造を提供する。【解決手段】一対の第一フレーム１２０と、一対の第二フレーム１４０とからなる。前記第一フレーム１２０と第二フレーム１４０は、相互に対応する結合部によって、相互の結合状態が確保される。上述の組合式ナンバープレートフレーム構造は、ナンバープレートと結合すると、ナンバープレート外縁の装飾効果を得ることができる。しかも、ナンバープレートの内容には影響を与えないし、ナンバープレートの内容を識別しにくくすることもない。【選択図】図１
0003177134.tif 000002
【実用新案登録請求の範囲】
【請求項１】
一対の第一フレームと、一対の第二フレームとからなる組合式ナンバープレートフレーム構造であって、
前記第一フレームは、二つの結合孔を備え、前記結合孔は、それぞれ、前記第一フレームの一辺の固定部に配置され、前記第一フレームは、二つの固定材を、ナンバープレートの固定孔と前記結合孔に通すことによって、前記ナンバープレートと結合され、各前記第一フレームの両端には、それぞれ、第一結合部が設けられ、各前記第二フレームの両端には、第二結合部がそれぞれ設けられ、各前記第二フレームは、両端の前記第二結合部を前記第一フレームの対応する第一結合部にそれぞれ取り付けることにより、各前記第一フレームに取り付けられ、
各前記第一フレームと各前記第二フレームは、さらに、補助固定部を備え、前記補助固定部は、それぞれ、各前記第一フレームと各前記第二フレームの内側に配置され、前記補助固定部は、第一補助固定部材と第二補助固定部材を備え、前記ナンバープレートと前記組合式ナンバープレートフレーム構造を結合した時、前記ナンバープレートの側辺は、前記補助固定部の前記第一補助固定部材に当接し、前記補助固定部の前記第二補助固定部材は、前記ナンバープレートの正面に当接することを特徴とする、組合式ナンバープレートフレーム構造。
【請求項２】
前記第一結合部は、第一結合孔を備え、前記第二結合部は、第二結合孔を備え、前記第一結合部と、対応する前記第二結合部を組み合わせた時、前記第一結合孔は、前記第二結合孔は合わせられることを特徴とする、請求項１に記載の組合式ナンバープレートフレーム構造。
【請求項３】
前記組合式ナンバープレートフレーム構造は、更に、複数の固定部材を備え、各前記固定部材は、既に合わせられた前記第一結合孔と前記第二結合孔に通され、それによって、前記第一結合部と前記第二結合部の結合状態が確保されることを特徴とする、請求項２に記載の組合式ナンバープレートフレーム構造。
【請求項４】
前記固定部材は、ボルトネジであることを特徴とする、請求項３に記載の組合式ナンバープレートフレーム構造。
【請求項５】
前記第一結合部は、嵌入部を備え、前記第二結合部は、係止部を備え、前記第一結合部が、対応する前記第二結合部に取り付けられた時、前記係止部は、相互に対応する前記嵌入部に組み合わされることを特徴とする、請求項１に記載の組合式ナンバープレートフレーム構造。
【考案の詳細な説明】
【技術分野】
【０００１】
本考案はナンバープレートの装飾フレーム構造に関し、特に組合式ナンバープレートフレーム構造に関する。
【背景技術】
【０００２】
人の身分証明書と同じように、ナンバープレートは、車の中で最も人に身分証明を分からせることができる部分である。全ての公的機関から交付されたナンバープレートは、短いいくつかの数字と／或いは文字があるだけで、数字と／或いは文字の内容が異なる以外に、その様式はほとんど同じである。したがって、一部の使用者がナンバープレート上に他の人とは違う個人のスタイルをつくりだしたいと思っている需要に対応するために、各種のナンバープレート装飾設計が登場しはじめている。
【０００３】
例えば、ナンバープレートの外フレームに、発光／反射／蛍光などの設計をほどこしたり、さらには、ナンバープレートの文字内容に、蛍光／反光効果を加えたりすることもある。しかしながら、この類の設計は、ナンバープレートの内容を識別しにくくさせる。これを、犯罪した後に警察の追跡から逃れるための手段に悪い人が利用するのを防ぐため、政府が発布した新しい交通法令には、ナンバープレートに、ナンバープレート内容を遮るような装飾をほどこしてはならないという規定が加わった。
【０００４】
従って、使用者が表現したいスタイルをつくりだすことができ、しかも、ナンバープレートの内容を遮らず、現行の交通法規に違反しないナンバープレート装飾フレーム構造を開発することは、産業価値のある事業である。
【考案の概要】
【考案が解決しようとする課題】
【０００５】
上述の背景を鑑み、産業上のニーズに対応するために、本考案は、ナンバープレートの内容を遮らず、交通法規に違反しないだけでなく、使用者のスタイルをかもしだすことが可能な、組合式ナンバープレートフレーム構造を提供することを目的とする。
【０００６】
また、本考案は、四つの部材を組み合わせることで、使用していない状態、包装して運送している過程において、解体して収容でき、置くスペースを節約することが可能な、組合式ナンバープレートフレーム構造を提供することを目的とする。
【０００７】
また、本考案は、四つの部材を組み合わせることで、使用者は、自分で、同じ或いは違う色或いは設計のフレーム構造を合わせることで、独特のスタイルを突出させることができる組合式ナンバープレートフレーム構造を提供することを目的とする。
【０００８】
また、本考案は、四つの部材を組み合わせることで、使用者は、自分で、ナンバープレートの左右の両側に異なる設計立体フレーム構造を取り付けることができ、それにより、独特のスタイルを突出させることができる、組合式ナンバープレートフレーム構造を提供することを目的とする。
【０００９】
また、本考案は、結合部の設計により、使用者は、簡単且つ素早く組み立て、解体を行うことができる、組合式ナンバープレートフレーム構造を提供することを目的とする。
【００１０】
また、本考案は、補助固定部の設計を使用することにより、ナンバープレートとの結合をさらに緊密にさせることが可能な、組合式ナンバープレートフレーム構造を提供することを目的とする。
【課題を解決するための手段】
【００１１】
本考案による組合式ナンバープレートフレーム構造は、一対の第一フレームと、一対の第二フレームとからなる。前記第一フレームと第二フレームは、相互に対応する結合部によって、相互の結合状態が確保される。上述の組合式ナンバープレートフレーム構造は、ナンバープレートと結合すると、ナンバープレート外縁の装飾効果を得ることができる。しかも、ナンバープレートの内容には影響を与えないし、ナンバープレートの内容を識別しにくくすることもない。
【図面の簡単な説明】
【００１２】
【図１】本考案の好ましい実施例の組合式ナンバープレートフレーム構造を示した概略図である。
【図２】本考案の好ましい実施例の組合式ナンバープレートフレーム構造の分解図である。
【図３】本考案の好ましい実施例の組合式ナンバープレートフレーム構造の結合部を示した概略図である。
【図４】本考案の好ましい実施例の組合式ナンバープレートフレーム構造の補助固定部を示した概略図である。
【図５Ａ】本考案の好ましい実施例の組合式ナンバープレートフレーム構造とナンバープレートを結合した後の状態を示した正面図である。
【図５Ｂ】本考案の好ましい実施例の組合式ナンバープレートフレーム構造とナンバープレートを結合した後の状態を示した背面図である。
【考案を実施するための形態】
【００１３】
図１は、本考案の好ましい実施例の組合式ナンバープレートフレーム構造を示した概略図である。図１に示すように、組合式ナンバープレートフレーム構造１００は、一対の第一フレーム１２０と、一対の第二フレーム１４０とからなる。第一フレーム１２０は、Ｕ型構造である。各第二フレームの第一端は、第一フレームの両端にそれぞれ取り付けられ、各第二フレームの第二端は、もう一方の第一フレームの両端に取り付けられ、それにより、第一フレーム１２０と第二フレーム１４０は、“口”字型の組合式ナンバープレートフレーム構造を形成する。この組合式ナンバープレートフレーム構造は、ナンバープレートの外縁の周りに取り付けられ、ナンバープレートの内容に影響を与えない。第一フレーム１２０と第二フレーム１４０は、木材、プラスチック、ゴム、ポリマー、金属、合金、或いは、それらの材質の組合せからなる。
【００１４】
図１と図２に示すように、各第一フレーム１２０は、固定部１２２と、二つのナンバープレート結合孔１２４とを備える。固定部１２２は、第一フレーム１２０の一辺に設けられる。結合孔１２４は、固定部１２２に設けられる。図１には図示していないが、本実施例の設計に基づくと、固定部材をナンバープレートの固定孔と第一フレーム１２０の結合孔１２４に通すことにより、ナンバープレートと第一フレーム１２０を結合させることができる。
【００１５】
本実施例によると、第一フレーム１２０の両端には、第一結合部１２６がそれぞれ設けられ、第二フレーム１４０の両端は、第二結合部１４２を介して、相互に対応する第一結合部１２６に取り付けられる。本実施例の設計に基づくと、第一結合部１２６と第二結合部１４２を組み合わせることにより、第一フレーム１２０と第二フレーム１４０をしっかり結合することができ、それにより、第一フレーム１２０と第二フレーム１４０が簡単に外れないようにすることができる。
【００１６】
図３を参照する。図３は、本考案の好ましい実施例の組合式ナンバープレートフレーム構造の一部の拡大図である。図３には、第一フレーム１２０と第二フレーム１４０の対応する端部にそれぞれ設けた結合部を示している。本実施例において、図３に示すように、各第一結合部１２６は、第一結合孔１２６２と、嵌入部１２６４とを備える。各第二結合部１４２は、第二結合孔１４２２と、係止部１４２４とを備える。第一結合部１２６と第二結合部１４２を取り付ける時、各第二結合部１４２の第二結合孔１４２２を対応する第一結合部１２６の第一結合孔１２６２に合わせ、第二結合部１４２の係止部１４２４を、対応する第一結合部１２６の嵌入部１２６４に結合させる。本実施例による組合式ナンバープレートフレーム構造は、複数の結合部固定部材１６０を更に備える。各結合部固定部材１６０は、合わせられた第一結合孔１２６２と第二結合孔１４２２に通され、それにより、各相互に対応する第一結合部１２６と第二結合部１４２を固定し、第一フレーム１２０と第二フレーム１４０の結合状態を確保することができる。本実施例の好ましい実施方式において、結合部固定部材１６０はボルトネジである。
【００１７】
本実施例の好ましい実施例において、第一フレーム１２０と第二フレーム１４０の内側には、さらに、補助固定部が設けられる。図４を参照する。図４は、本考案の好ましい実施例の組合式ナンバープレートフレーム構造の一部の断面の拡大図である。図４に示すように、補助固定部１８０は、第一補助固定部材１８２と、第二補助固定部材１８４とを備える。前記組合式ナンバープレートフレーム構造とナンバープレート２００を結合する時、ナンバープレート２００の側辺は、補助固定部１８０の第一補助固定部材１８２に当接し、補助固定部１８０の第二補助固定部材１８４は、ナンバープレート２００の正面に当接し、それにより、ナンバープレート２００の補助的に固定する効果を得ることができる。なお、本実施例の好ましい実施例において、第一補助固定部材１８２と第二補助固定部材１８４は、一体成型且つ“Ｊ”型構造にすることができる。
【００１８】
図５Ａと図５Ｂを参照する。図５Ａと図５Ｂは、本考案の好ましい実施例の組合式ナンバープレートフレーム構造とナンバープレートを結合した後の状態を示した正面図と背面図である。図５Ａに示すように、組合式ナンバープレートフレーム構造とナンバープレート２００を、ナンバープレート固定部材２２０によって結合した後、正面から見ると、ナンバープレート２００の周囲は、第一フレーム１２０と第二フレーム１４０に囲まれている。図５Ａには図示していないが、上述の設計によると、組合式ナンバープレートフレーム構造の補助固定部は、ナンバープレート２００の辺縁領域の一部を遮るが、ナンバープレート２００の内容には影響しない。使用者は、同じ色系の第一フレーム１２０と第二フレーム１４０を用いてナンバープレート２００を装飾することもできるし、異なる色系、或いは、設計の第一フレーム１２０と第二フレーム１４０を用いてナンバープレート２００を装飾することもでき、それにより、特殊なスタイルをかもしだすことができる。さらによいのは、本明細書の設計によると、第二フレーム１４０を、立体造形（例えば、ゴルフクラブ造型、ハイヒール造型、或いは、その他の立体造形）にすることであり、使用者は、立体造形を備える第二フレーム１４０を使用することで、他の人とは異なるスタイルをつくりだすことができる。
【００１９】
図５Ｂに示すように、ナンバープレート固定部材２２０によって、本明細書の組合式ナンバープレートフレーム構造とナンバープレート２００を結合すると、第一フレーム１２０と第二フレーム１４０の取り付け方式、及び、ナンバープレート２００と第一フレーム１２０の固定部１２２の固定方式を、裏側から見ることができる。
【００２０】
本明細書の設計において、第二フレーム１４０は、異なる材質、或いは、模様を用いてして、視覚的な質感やスタイルを出すことができる以外に、異なる立体造形を使用することにより、使用者の個人的な好みやスタイルをつくりだすことができる。例えば、本明細書の好ましい実施例において、第二フレーム１４０は、両端の第二結合部１４２以外の主体部分をゴルフクラブの立体造形にし、第二フレーム１４０を、第二結合部１４２によって、対応する第一フレーム１２０の第一結合部１４６に結合することができる。更によいのは、本実施例の組合式ナンバープレートフレーム構造とナンバープレートを結合した後、ナンバープレートの左右両側に、ゴルフクラブの立体造形を形成させて、使用者の個人のスタイルを突出させることである。本明細書の設計では、前記第二フレームの立体造形は、前記のゴルフクラブ以外に、ナンバープレートの内容に影響しないその他の立体造形（例えば、ハイヒール、ワイングラス、動物、植物、或いは、その他の立体造形）にすることができる。
【００２１】
上述した内容をまとめると、本考案の組合式ナンバープレートフレーム構造は、一対の第一フレームと、一対の第二フレームとからなる。各第一フレームの両端には、それぞれ、第一結合部が設けられ、各第二フレームの両端には、それぞれ、第二結合部が設けられる。各対の相互に対応する第一結合部と第二結合部を組み合わせることにより、第一フレームと第二フレームの間をしっかり結合させることができる。第一フレームと第二フレームは、ナンバープレートに結合させることができ、それにより、ナンバープレート外縁の装飾效果を得ることができる。この組合式ナンバープレートフレーム構造は、第一フレームと第二フレーム内側に設けられる補助固定部を更に備える。組合式ナンバープレートフレーム構造とナンバープレートを結合させた時、ナンバープレートの側辺は、前記補助固定部の第一補助固定部材に当接し、補助固定部の第二補助固定部材は、ナンバープレートの正面に当接し、それにより、ナンバープレートを補助的に固定する効果を得ることができる。本明細書の設計によると、ナンバープレート周囲を囲むナンバープレートフレームは、二組の生産方式（例えば、二組の金型）だけで、第一フレームと第二フレームを生産することができ、生産工程を簡略化することができる。また、本明細書の組合式ナンバープレートフレーム構造を、分解して収納、或いは、包装して輸送する時、スペースを更に節約することができる。更によいことには、前記組合式ナンバープレートフレーム構造は、第一フレームと第二フレームに、異なる材質、色、或いは、表面模様を用いて、使用者の個人のスタイルをつくりだすことができる以外に、在第二フレームに立体造形を用いることで、異なる特色を突出させることができるという点である。本明細書の設計によると、使用者にナンバープレート上で自分のスタイルをかもしださせることができるだけでなく、さらによいのは、この設計は、交通法規に符合しており、ナンバープレートの内容を遮ったり、識別しずらくさせたりしないことである。
【符号の説明】
【００２２】
１００      組合式ナンバープレートフレーム構造
１２０      第一フレーム
１２２      固定部
１２４      ナンバープレート結合孔
１２６      第一結合部
１２６２    第一結合孔
１２６４    嵌入部
１４０      第二フレーム
１４２      第二結合部
１４２２    第二結合孔
１４２４    係止部      
１６０      結合部固定部材
１８０      補助固定部
１８２      第一補助固定部材
１８４      第二補助固定部材
２００      ナンバープレート
２１４      第二結合孔
２２０      ナンバープレート固定部材
【図１】
0003177134.tif 000003
【図２】
0003177134.tif 000004
【図３】
0003177134.tif 000005
【図４】
0003177134.tif 000006
【図５Ａ】
0003177134.tif 000007
【図５Ｂ】
0003177134.tif 000008